(57)【要約】【課題】携帯電話機から発信する呼であっても地域属性番号からの発信が可能なデジタル電話交換システムおよびデジタル電話交換方法を提供する。【解決手段】第２電話番号を有する携帯電話機５０には、このシステム専用のＶｏＩＰアプリ５１がインストールされるとともにＳＩＰ−ＩＤとしての第４電話番号が設定されている。デジタル電話交換機には、各利用者に対応して利用者ＩＤにデジタル電話交換機に収容された第１電話番号、携帯電話機の第２電話番号およびＶｏＩＰアプリ５１の第４電話番号が紐付けされて登録電話番号情報として記憶されている。ＶｏＩＰアプリ５１の連絡帳を用いて、第３電話番号を入力すると、デジタル電話交換機に第４電話番号と第３電話番号が通知される。デジタル電話交換機は、第４電話番号に紐付けされた第１電話番と第２電話番号のうちの第２電話番号に呼ａを発信する。この呼ａが接続されると、第１電話番号を発信元として、第３電話番号に呼をかけるとともに第１電話番号を通知する。【選択図】図４
2015185995.tif 000002
【特許請求の範囲】
【請求項１】
公衆回線網に接続されるとともに、インターネット通信網に接続されるデジタル電話交換機と、当該デジタル電話交換機に収容された第１電話番号を有する第１電話機とを備え、
前記第１電話機の利用者が利用するとともに第２電話番号を有する第２電話機であり、かつ、携帯電話回線網を介して前記公衆回線網に接続可能な携帯電話機から、第３電話番号を有して前記公衆回線網に接続可能な第３電話機に前記デジタル電話交換機を介して呼を接続する際に前記第１電話番号を第３電話機に通知させるデジタル電話交換システムであって、
前記携帯電話機は、前記インターネット通信網経由で通話を行うための第４電話番号が設定されるとともに前記デジタル電話交換機に呼をかけるための専用アプリケーションと、前記専用アプリケーションが起動した状態で電話番号を入力するための電話番号入力手段とを有し、
当該電話番号入力手段は、前記携帯電話機に記憶されるとともに、前記第３電話番号と連絡先名とを紐付けした連絡先情報の前記連絡先名に基づいて前記第３電話番号を入力可能とされ、
前記専用アプリケーションは、前記電話番号入力手段により、前記第３電話番号が入力された場合に、前記第４電話番号を発信元として前記デジタル電話交換機に前記インターネット通信網を介して呼をかけ、前記第４電話番号と、前記第３電話番号とを前記デジタル電話交換機に通知し、
前記デジタル電話交換機は、前記第１電話番号と、前記第２電話番号と、前記第４電話番号とを前記第１電話機および前記携帯電話機の共通の利用者に応じて紐付けした登録電話番号情報を記憶する登録電話番号記憶手段を備えるとともに、前記携帯電話機の前記専用アプリケーションからの呼に基づき、前記携帯電話機から前記第４電話番号と、前記第３電話番号が通知された場合に、前記登録電話番号情報から通知された前記第４電話番号に紐付けされた前記第２電話番号および前記第１電話番号を読み出し、読み出した前記第２電話番号を発信先として前記携帯電話機に呼をかけて呼が接続された場合に、通知された前記第３電話番号を有する前記第３電話機に読み出した前記第１電話番号を発信元として呼をかけるとともに当該第１電話番号を通知し、前記第２電話番号にかけた呼と、前記第３電話番号にかけた呼とに基づいて、前記第２電話番号の前記携帯電話機と、前記第３電話番号の前記第３電話機との通話を中継することを特徴とするデジタル電話交換システム。
【請求項２】
公衆回線網に接続されるとともに、インターネット通信網に接続されるデジタル電話交換機と、当該デジタル電話交換機に収容された第１電話番号を有する第１電話機とを備えるデジタル電話交換システムで行われ、
前記第１電話機の利用者が利用するとともに第２電話番号を有する第２電話機であり、かつ、携帯電話回線網を介して前記公衆回線網に接続可能な携帯電話機から、第３電話番号を有して前記公衆回線網に接続可能な第３電話機に前記デジタル電話交換機を介して呼を接続する際に前記第１電話番号を第３電話機に通知させるデジタル電話交換方法であって、
前記携帯電話機は、前記インターネット通信網経由で通話を行うための第４電話番号が設定されるとともに前記デジタル電話交換機に呼をかけるための専用アプリケーションと、前記専用アプリケーションが起動した状態で電話番号を入力するための電話番号入力手段とを有し、
当該電話番号入力手段は、前記携帯電話機に記憶されるとともに、前記第３電話番号と連絡先名とを紐付けした連絡先情報の前記連絡先名に基づいて前記第３電話番号を入力可能とされ、
前記専用アプリケーションは、前記電話番号入力手段により、前記第３電話番号が入力された場合に、前記第４電話番号を発信元として前記デジタル電話交換機に前記インターネット通信網を介して呼をかけ、前記第４電話番号と、前記第３電話番号とを前記デジタル電話交換機に通知し、
前記デジタル電話交換機は、前記第１電話番号と、前記第２電話番号と、前記第４電話番号とを前記第１電話機および前記携帯電話機の共通の利用者に応じて紐付けした登録電話番号情報を記憶する登録電話番号記憶手段を備えるとともに、前記携帯電話機の前記専用アプリケーションからの呼に基づき、前記携帯電話機から前記第４電話番号と、前記第３電話番号が通知された場合に、前記登録電話番号情報から通知された前記第４電話番号に紐付けされた前記第２電話番号および前記第１電話番号を読み出し、読み出した前記第２電話番号を発信先として前記携帯電話機に呼をかけて呼が接続された場合に、通知された前記第３電話番号を有する前記第３電話機に読み出した前記第１電話番号を発信元として呼をかけるとともに当該第１電話番号を通知し、前記第２電話番号にかけた呼と、前記第３電話番号にかけた呼とに基づいて、前記第２電話番号の前記携帯電話機と、前記第３電話番号の前記第３電話機との通話を中継することを特徴とするデジタル電話交換方法。
【発明の詳細な説明】
【技術分野】
【０００１】
本発明は、携帯電話機を利用するデジタル電話交換システムおよびデジタル電話交換方法に関する。
【背景技術】
【０００２】
例えば、ＩＴＳＰ（Ｉｎｔｅｒｎｅｔ  Ｔｅｌｅｐｈｏｎｙ  Ｓｅｒｖｉｃｅ  Ｐｒｏｖｉｄｅｒ）や、東日本電信電話株式会社、西日本電信電話株式会社によるＩＰ電話サービスのように、公衆電話交換網は、ＩＰ（Ｉｎｔｅｒｎｅｔ  Ｐｒｏｔｏｃｌ）や、このＩＰをベースとするＳＩＰ（Ｓｅｓｓｉｏｎ  Ｉｎｉｔｉａｔｉｏｎ  Ｐｒｏｔｏｃｏｌ）を用いた技術への移行が進み、ＩＰ電話サービスの契約件数も確実に増加の一途を辿っている（例えば、非特許文献１参照）。
【０００３】
また、携帯電話機のＵＭＴＳ（Ｕｎｉｖｅｒｓａｌ  Ｍｏｂｉｌｅ  Ｔｅｌｅｃｏｍｕｎｉｃａｔｉｏｎｓ  Ｓｙｓｔｅｍ）規格に沿った３Ｇ（第３世代）通信、およびＬＴＥ（Ｌｏｎｇ
Ｔｅｒｍ Ｅｖｏｌｕｔｉｏｎ）規格に沿った４Ｇ（第４世代通信）の実用化に伴い、携帯電話機からのインターネット通信が一般化してきた。
【０００４】
また、電話交換機（ＰＢＸ）では、デジタル電話交換機（ＩＰ−ＰＢＸを含む）が知られている。デジタル電話交換機では、着信履歴や送信履歴等と言った機能に加えて、例えば、電話の取り次ぎ、不在ガイダンス、通話の録音等といった付加機能を有する。
【先行技術文献】
【非特許文献】
【０００５】
【非特許文献１】テレコムデータブック２０１２（ＴＣＡ編）：平成２５年１月１０日発行、発行元：一般社団法人電気通信事業者協会
【発明の概要】
【発明が解決しようとする課題】
【０００６】
ところで、電話番号Ａの携帯電話機から外線発信する場合には、発信先の電話番号Ｃの相手の電話機には、もちろん携帯電話機からの発信であることが分かる電話番号Ａが通知される。すなわち、携帯電話は、市街局番のように地域属性がある番号ではなく、０８０，０９０等の番号が市街局番の代わりに用いられており、電話番号通知サービスにより電話番号が通知された場合に、固定電話でないことが分かってしまう。
【０００７】
しかしながら、企業活動において相手先に電話をする場合は、電話番号Ａの携帯電話番号からの発信であっても、企業が契約する地域属性番号（国番号、市外局番、局番等）の電話番号Ｂから発信しているようにみせたいという要望がある。
【０００８】
すなわち、個人事業主や小規模企業においては、事業主等の代表者やその他の責任者が外回りに忙しく、固定電話のある事務所にいることが少なかったり、事務所自体が所謂バーチャルオフィス等の事業主等の代表者が常駐しないシステムだったりする場合がある。この場合に、電話番号Ａの携帯電話機から電話番号Ｃの相手先に電話をかけた場合、電話番号Ｃの電話機のディスプレイには、企業が契約する地域属性番号（国番号、市外局番、局番等）を有する電話番号Ｂを通知させるようにしたいということである。
【０００９】
上記課題を従来電話交換機において以下の仕組みで解決することが行われたが利便性が悪く広く普及していない。すなわち、上述の仕組みの具体的な構成は、まず初めに、電話番号Ａの携帯電話機から公衆回線網を介して電話番号Ｂ（従来電話交換機）に電話をかける。
次に、前記携帯電話機のプッシュ信号音により、発信先である電話番号Ｃを入力する。そうすると、従来電話交換機から公衆回線を介して電話番号Ｂを発信番号として電話番号Ｃと呼が接続され、結果的に電話番号Ａの携帯電話機と電話番号Ｃの電話機での通話が成立する。
【００１０】
しかしながら、上記の従来電話交換機の仕組みでは、電話番号Ａの携帯電話機等に保存された連絡帳情報を使った発信が行えず、発信の都度、相手先電話番号を携帯電話機のボタン操作で、プッシュ信号の送出を行う必要があり、利用には非常に手間がかかっている。
【００１１】
本発明は、前記事情に鑑みてなされたものであり、携帯電話機から発信する呼であっても地域属性番号からの発信が可能なデジタル電話交換システムおよびデジタル電話交換方法を提供することを目的とする。
【課題を解決するための手段】
【００１２】
前記目的を達成するために、本発明のデジタル交換システムは、公衆回線網に接続されるとともに、インターネット通信網に接続されるデジタル電話交換機と、当該デジタル電話交換機に収容された第１電話番号を有する第１電話機とを備え、
前記第１電話機の利用者が利用するとともに第２電話番号を有する第２電話機であり、かつ、携帯電話回線網を介して前記公衆回線網に接続可能な携帯電話機から、第３電話番号を有して前記公衆回線網に接続可能な第３電話機に前記デジタル電話交換機を介して呼を接続する際に前記第１電話番号を第３電話機に通知させるデジタル電話交換システムであって、
前記携帯電話機は、前記インターネット通信網経由で通話を行うための第４電話番号が設定されるとともに前記デジタル電話交換機に呼をかけるための専用アプリケーションと、前記専用アプリケーションが起動した状態で電話番号を入力するための電話番号入力手段とを有し、
当該電話番号入力手段は、前記携帯電話機に記憶されるとともに、前記第３電話番号と連絡先名とを紐付けした連絡先情報の前記連絡先名に基づいて前記第３電話番号を入力可能とされ、
前記専用アプリケーションは、前記電話番号入力手段により、前記第３電話番号が入力された場合に、前記第４電話番号を発信元として前記デジタル電話交換機に前記インターネット通信網を介して呼をかけ、前記第４電話番号と、前記第３電話番号とを前記デジタル電話交換機に通知し、
前記デジタル電話交換機は、前記第１電話番号と、前記第２電話番号と、前記第４電話番号とを前記第１電話機および前記携帯電話機の共通の利用者に応じて紐付けした登録電話番号情報を記憶する登録電話番号記憶手段を備えるとともに、前記携帯電話機の前記専用アプリケーションからの呼に基づき、前記携帯電話機から前記第４電話番号と、前記第３電話番号が通知された場合に、前記登録電話番号情報から通知された前記第４電話番号に紐付けされた前記第２電話番号および前記第１電話番号を読み出し、読み出した前記第２電話番号を発信先として前記携帯電話機に呼をかけて呼が接続された場合に、通知された前記第３電話番号を有する前記第３電話機に読み出した前記第１電話番号を発信元として呼をかけるとともに当該第１電話番号を通知し、前記第２電話番号にかけた呼と、前記第３電話番号にかけた呼とに基づいて、前記第２電話番号の前記携帯電話機と、前記第３電話番号の前記第３電話機との通話を中継することを特徴とする。
【００１３】
本発明のデジタル電話交換方法は、公衆回線網に接続されるとともに、インターネット通信網に接続されるデジタル電話交換機と、当該デジタル電話交換機に収容された第１電話番号を有する第１電話機とを備えるデジタル電話交換システムで行われ、
前記第１電話機の利用者が利用するとともに第２電話番号を有する第２電話機であり、かつ、携帯電話回線網を介して前記公衆回線網に接続可能な携帯電話機から、第３電話番号を有して前記公衆回線網に接続可能な第３電話機に前記デジタル電話交換機を介して呼を接続する際に前記第１電話番号を第３電話機に通知させるデジタル電話交換方法であって、
前記携帯電話機は、前記インターネット通信網経由で通話を行うための第４電話番号が設定されるとともに前記デジタル電話交換機に呼をかけるための専用アプリケーションと、前記専用アプリケーションが起動した状態で電話番号を入力するための電話番号入力手段とを有し、
当該電話番号入力手段は、前記携帯電話機に記憶されるとともに、前記第３電話番号と連絡先名とを紐付けした連絡先情報の前記連絡先名に基づいて前記第３電話番号を入力可能とされ、
前記専用アプリケーションは、前記電話番号入力手段により、前記第３電話番号が入力された場合に、前記第４電話番号を発信元として前記デジタル電話交換機に前記インターネット通信網を介して呼をかけ、前記第４電話番号と、前記第３電話番号とを前記デジタル電話交換機に通知し、
前記デジタル電話交換機は、前記第１電話番号と、前記第２電話番号と、前記第４電話番号とを前記第１電話機および前記携帯電話機の共通の利用者に応じて紐付けした登録電話番号情報を記憶する登録電話番号記憶手段を備えるとともに、前記携帯電話機の前記専用アプリケーションからの呼に基づき、前記携帯電話機から前記第４電話番号と、前記第３電話番号が通知された場合に、前記登録電話番号情報から通知された前記第４電話番号に紐付けされた前記第２電話番号および前記第１電話番号を読み出し、読み出した前記第２電話番号を発信先として前記携帯電話機に呼をかけて呼が接続された場合に、通知された前記第３電話番号を有する前記第３電話機に読み出した前記第１電話番号を発信元として呼をかけるとともに当該第１電話番号を通知し、前記第２電話番号にかけた呼と、前記第３電話番号にかけた呼とに基づいて、前記第２電話番号の前記携帯電話機と、前記第３電話番号の前記第３電話機との通話を中継することを特徴とする。
【００１４】
これらのようなデジタル電話交換システムおよびデジタル電話交換方法によれば、携帯電話機の専用アプリケーション(以下、専用アプリと略す)を起動するとともに、連絡先情報から連絡先名を選択することにより、発信先となる第３電話番号を入力することができる。また、専用アプリは、インターネット通信網を用いた通話用の第４電話番号が設定されたアプリであり、本来は、例えば、ＶｏＩＰ等のインターネットを介した通話用のプロトコルを用いた通話用アプリである。なお、携帯電話は、アプリケーションをインストールして実行可能なスマートフォンや、フィーチャーフォンである。
本発明においては、専用アプリを通話のためでなく、電話番号をデジタル電話交換機に通知するために用いている。
ここで、携帯電話の利用者（ユーザー）は、通話先（発信先）として、専用アプリ上で、例えば、連絡先情報に登録された連絡先名を表示させたり、検索したりして連絡先名を選択することにより電話番号を入力する。この場合に連絡先情報から第３電話番号が入力可能なため、いちいち電話番号を手動で入力する必要がない。すなわち、従来のデジタル電話交換機を介して第３電話番号の第３電話機に電話をかける場合のように、プッシュ信号音を出力するために電話番号を必ず手で入力する必要がなく、デジタル電話交換機を用いて、デジタル電話交換機に収容された電話番号を発信元として通話を行う場合であっても、通常の携帯電話と同様に連絡先から登録された電話番号を選択することで第３電話番号の入力が可能となる。なお、例えば、連絡先情報に登録されていない電話番号に電話をかける場合には、電話番号入力手段で電話番号を、番号キーを用いて直接入力するものとしてもよい。
【００１５】
また、専用アプリは、入力された電話番号（第３電話番号）に呼をかけるのではなく、専用アプリは、通常使用時に必ず所定のデジタル電話交換機に呼をかけるようになっている。なお、呼をかける際の電話番号は、例えば、デジタル電話交換機に収容されている電話番号であり、例えば、専用アプリのデータとして、携帯電話機に記憶されている電話番号である。なお、専用アプリに、所定のデジタル電話交換機に収容された電話番号のうちの所定の電話番号が記憶されることになるが、所定の電話番号が複数記憶されるものとしてもよい。
【００１６】
また、専用アプリからデジタル電話交換機にインターネット通信網を介して呼がかけられた際に、専用アプリから認証用の情報を出力し、データ電話交換機側で認証用の情報に対して認証を行うようにしてもよい。
また、専用アプリに設定された第４電話番号で認証を行うようにしてもよい。
【００１７】
また、専用アプリにより携帯電話からデジタル電話交換機に第４電話番号と、第３電話番号が通知された際に、専用アプリと、デジタル電話交換機との呼の接続が解放されることが好ましい。すなわち、専用アプリがデジタル電話交換機に第４電話番号と第３電話番号とを通知した際に、専用アプリ側またはデジタル電話交換機側から呼を解放する。
すなわち、専用アプリでデジタル電話交換機に第４電話番号で発信した後に、デジタル電話交換機が第３電話番号の第３電話機に呼をかけて、専用アプリによる呼を、デジタル電話交換機を介して第３電話機に接続することはない。
【００１８】
上述のように専用アプリにより第４電話番号と第３電話番号を通知されたデジタル電話交換機では、電話登録情報を第４電話番号で検索し、第４電話番号に紐付けされた第２電話番号と、第１電話番号を取得する。
【００１９】
デジタル電話交換機から第２電話番号に呼をかけ、第２電話番号を有する携帯電話機に接続された場合に、デジタル電話交換機は、第１電話番号を発信元として、第３電話番号に呼をかけるとともに第１電話番号を第３電話機に通知する。
【００２０】
次にデジタル電話交換機は、接続されている第２電話番号の携帯電話機と、第３電話番号の第３電話機を中継して携帯電話機と第３電話機とが通話可能になる。
この際に第３電話機の利用者は、第１電話番号が通知されたので、携帯電話ではなく、第１電話番号を有する固定電話としての第１電話機から電話がかかってきたと思うことになる。
【００２１】
以上のことから、専用アプリを用いることにより、携帯電話からの通話を第１電話機から転送した状態とする際に、発信先の電話番号を手動入力しなくとも、連絡先情報を用いて入力することが可能になり、従来のように電話番号を手動入力するより楽に第１電話番号を用いた通話ができる。
【００２２】
また、携帯電話機では、専用アプリを用いて第４電話番号によりデジタル電話交換機に発信した後に一度デジタル電話交換機との接続が切断される。次いで、デジタル電話交換機から発信先が第４電話番号ではなく、第２電話番号となるが同じ携帯電話機にコールバックした状態となる。したがって、デジタル電話交換機を介して第３電話機と通話した際に、携帯電話機では通話料が発生せず、通話料はデジタル電話交換機側が負担することになる。
【００２３】
この場合に、デジタル電話交換機および第１電話機は、例えば、企業側の設備で、携帯電話機が企業の従業員の所要である場合に、仕事のための電話の電話料金を従業員が一時的にでも負担することを防止することができる。
【００２４】
また、専用アプリによる携帯電話機とデジタル電話交換機との接続は、インターネット通信網を用いているので、基本的に公衆回線網による通話料は発生しない。但し、携帯電話機によるインターネット通信網への接続時に、データ通信による費用が発生するが、データ通信の契約が従量制ではなく、定額制の場合にデータ通信の料金は変化しない。
【００２５】
また、データ通信が従量制であっても、上述のように携帯電話機から第４電話番号と第３電話番号を通知した後に呼が切断され、さらに第４電話番号は、通常の電話番号通知サービスにより呼が接続される前に行うことが可能であり、データ通信料が発生しても低いものとなる。
すなわち、コールバックする際のデジタル電話交換機への発信による携帯電話機側で発生する料金を低くすることができる。
【００２６】
また、携帯電話機と第３電話機とは、デジタル電話交換機を介して通話することになり、デジタル電話交換機の機能を用いることができる。例えば、発信履歴をデジタル電話交換機に残すことができるし、通話の録音等もデジタル電話交換機で行うことが可能となる。なお、携帯電話機側では、専用アプリで送信履歴を残すようにすることが可能であるが、基本的には、携帯電話機における履歴としては、デジタル電話交換機からのコールバックによる着信履歴が残ることになる。
なお、第３電話番号の第３電話機は、デジタル電話交換機に収容された第１電話番号の第１電話機に対して外部の電話機であり、携帯電話機も基本的にデジタル電話交換機に対して外部の電話機である。
【発明の効果】
【００２７】
本発明によれば、デジタル電話交換機の発信転送機能により第２電話番号の携帯電話機から第３電話番号へ外線発信する際に、携帯電話機で通常外線発信する操作と同じ操作、具体的には前記携帯電話機上の連絡帳等から第３電話番号が登録されている氏名等を選択する操作で、デジタル電話交換機に収容されている第１電話番号を発信元電話番号として、第３電話番号の第３電話機に電話をかけることが可能になる。
【図面の簡単な説明】
【００２８】
【図１】本発明の第１の実施の形態のデジタル電話交換システムを示す概略図である。
【図２】同、デジタル電話交換システムのデジタル電話交換機および管理サーバを示す機能構成図である。
【図３】同、デジタル電話交換機および管理サーバに記憶される情報の項目を示す図であって、（ａ）が登録電話番号情報の項目を示す図であり、（ｂ）が通知入力情報の項目を示す図である。
【図４】主にデジタル電話交換機で行われる外線発信転送処理を説明するためのフローチャートである。
【発明を実施するための形態】
【００２９】
以下、図面を参照しながら本発明の実施の形態について説明する。
図１に示すように、本実施の形態のデジタル電話交換システムは、デジタル電話交換機１と、このデジタル電話交換機１に対してデータ通信可能な管理サーバ１０と、前記デジタル電話交換機１に収容された複数の電話番号（第１電話番号）にそれぞれ対応する複数の電話機（第１電話機２０：図１中１台だけ図示）とを備える。
【００３０】
デジタル電話交換機１は、公衆回線網（公衆電話回線網）３０に接続されており、この公衆回線網３０を介して携帯電話回線網３１に接続されている。また、デジタル電話交換機１は、インターネット（ＩＰ通信網３２：インターネットに接続されたＬＡＮ（Ｌｏｃａｌ  Ａｒｅａ  Ｎｅｔｗｏｒｋ）を含む）に接続されている。
【００３１】
また、デジタル電話交換機１は、周知のデジタル電話交換機として公衆回線網３０または公衆回線網３０および携帯電話回線網３１を介して外部の第３電話番号を有する電話機（第３電話機４０）と、デジタル電話交換機１に収容された第１電話番号の第１電話機２０とを接続して通話可能とする。
【００３２】
また、本実施の形態において、デジタル電話交換機１を利用する各種組織の利用者、例えば、デジタル電話交換機１を使用する企業の従業員、デジタル電話交換機１を用いたサービスの会員等の利用者が、第１電話機２０と第２電話機としての携帯電話機５０との両方を利用するようになっている。なお、第１電話機２０は、例えば、組織が所有するものであってもよく、携帯電話機５０は、利用者が所有するものであってもよい。
【００３３】
本実施の形態では、携帯電話機５０から外部の第３電話機４０にデジタル電話交換機１を介して通話可能とするとともに、この際に、第３電話機４０に、携帯電話機５０の携帯用電話番号を通知することなく、デジタル電話交換機１に収容された第１電話番号を通知するようになっている。また、デジタル電話交換機１は、ＩＰ通信網３２を介してＶｏＩＰアプリケーションを用いたＩＰ電話との接続が可能となっている。
【００３４】
管理サーバ１０は、デジタル電話交換機１に直接またはＬＡＮ等のネットワークを介してデータ通信可能に接続されている。管理サーバ１０では、後述のデジタル電話交換機１の各種設定を行うことが可能となっているとともに、各第１電話機２０の利用者の管理や、デジタル電話交換機１を介した呼の着信、発信（転送を含む）を管理するためのものである。なお、管理サーバ１０への各種設定等のデータの入力は、管理サーバ１０で直接行っても良いし、管理サーバ１０にＬＡＮ等を介して接続可能な端末としてのコンピュータ（パソコン）を用いて行ってもよい。
【００３５】
携帯電話機５０は、例えば、スマートフォンや、フューチャーフォン等のアプリが利用可能な携帯電話機５０であり、このデジタル電話交換システムの利用者の携帯電話機５０には、ＶｏＩＰアプリケーション（ＶｏＩＰアプリ５１）がインストールされている。このＶｏＩＰアプリ５１は、ＩＰ通信網（インターネット通信網）３２を用いて音声通話を行うためのプロトコルであるＶｏｉｃｅ  Ｏｖｅｒ  Ｉｎｔｅｒｎｅｔ  Ｐｒｏｔｏｃｏｌを用いたアプリケーションであるが、ここでは、本実施の形態のデジタル電話交換システムで用いられる専用アプリケーションとなっている。また、本実施の形態のＶｏＩＰアプリ５１には、セッション制御プロトコルとして、ＳＩＰ（Ｓｅｓｓｉｏｎ  Ｉｎｉｔｉａｔｉｏｎ  Ｐｒｏｔｏｃｏｌ）が用いられている。
【００３６】
すなわち、ＶｏＩＰアプリ５１は、ＩＰ通信網３２を介して携帯電話機５０とデジタル電話交換機１とで通信を行うが、基本的に音声通話は行わない設定となっている。但し、一般的なＶｏＩＰアプリケーションと同様に、例えば０５０−で始まる電話番号（第４電話番号）が設定されている。この第４電話番号は、上述のＳＩＰのＳＩＰ−ＩＤである。なお、デジタル電話交換機１にもＳＩＰ−ＩＤである電話番号が設定され、公衆回線網３０を介さずにＩＰ通信網３２によって、ＶｏＩＰアプリ５１とデジタル電話交換機１との接続が可能となっている。
【００３７】
また、ＶｏＩＰアプリ５１では、呼をかける先がデジタル電話交換機１に収容された上述のＳＩＰ−ＩＤである所定の電話番号に限定されている。ＶｏＩＰアプリ５１を起動した場合に、利用者に、電話番号の入力が促されるが、利用者が発信先となる第３電話番号を入力した場合に、入力された電話番号に呼をかけることなく、デジタル電話交換機１に呼がかけられ、第４電話番号を通知するとともに、入力された第３電話番号を通知するようになっている。また、ＶｏＩＰアプリ５１は、第４電話番号と第３電話番号を通知すると呼を切断（解放）するようになっている。なお、第４電話番号と第３電話番号を通知されたデジタル電話交換機１側で呼を切断してもよい。また、ＶｏＩＰアプリ５１がデジタル電話交換機１に収容された公衆回線網３０用の電話番号に呼をかけるものとしてもよい。
【００３８】
したがって、ＶｏＩＰアプリ５１は、所謂電話番号通知により第４電話番号を通知し、さらに、入力された第３電話番号を通知する。この場合に、デジタル電話交換機１に対して、従来のようにプッシュ信号により番号を通知するのではなく、通常のデータ（例えば、テキストデータや数値データ）として、電話番号が通知されるので、プッシュ音を発生させるために、ボタン操作を行う必要がない。よって、通常の通話用のアプリケーションとして、連絡先名と電話番号が紐付けされて記憶された所謂連絡帳等の連絡先情報を用いた電話番号の入力が行える。なお、連絡先情報は、携帯電話機５０の各アプリで共有している連絡先情報を用いるものとしもよいし、ＶｏＩＰアプリ５１の専用の連絡先情報を用いるものとしてもよい。
【００３９】
なお、携帯電話機５０がユーザ−の私有物である場合に、プライベートな連絡先情報と分けるために、仕事用の連絡先情報として、ＶｏＩＰアプリ５１専用の連絡先情報を用いることが好ましい。また、連絡先情報は、例えば、管理サーバ１０やその他のサーバで構内側にあるものとし、インターネット経由で携帯電話機５０からアクセスしたり、ダウンロードしたりすることが可能になっていてもよい。また、一般的な電話機能として、着信した電話番号や発信した電話番号を選択して入力可能なことが好ましく、また、連絡先情報等のない電話番号を数字キーから入力可能なことが好ましい。このような携帯電話機５０における電話番号の入力の機能が電話番号入力手段である。
【００４０】
また、上述のようにＶｏＩＰアプリ５１では、発信、着信の際に第３電話機４０の第３電話番号に直接発信したり、直接受信したりしないので、デジタル電話交換機１に通知する第３電話番号や、デジタル電話交換機１から受信時に通知される第３電話番号を発信した電話番号や着信した電話番号として一時的に記憶するものとしてもよい。また、デジタル電話交換機１側で記憶した発信電話番号や、着信電話番号を、インターネットを経由して携帯電話機５０側から選択して入力可能となっていてもよい。
【００４１】
次に、図２を参照してデジタル電話交換機１と管理サーバ１０をより詳細に説明する。
デジタル電話交換機１は、例えば、上述の携帯電話回線網３１に接続されている公衆回線網３０に接続されるとともにＩＰ通信網３２に接続されるコンピュータシステムとしてのハードウェア上でプログラムであるオペレーティングシステム（ＯＳ２）が実行され、このＯＳ２上でプログラムとしてのアプリケーション３が実行される。
【００４２】
このアプリケーション３はデジタル電話交換機１用のアプリケーションであり、このアプリケーション３の実行に基づく機能は、本実施の形態に係わる機能として、後述の外線発信転送処理に基づいてデジタル電話交換機１から外部の電話機（第３電話機４０および携帯電話機（第２電話機）５０）に発信を行う機能を有する。すなわち、携帯電話機５０からの通知に基づいて、携帯電話機５０および第３電話機４０に呼をかけ、これら呼を中継して携帯電話機５０と第３電話機４０とでの通話を可能とする。この場合に、見かけ上は、携帯電話機５０からの呼をデジタル電話交換機１から第３電話機４０に転送していることになる。
実際には、デジタル電話交換機１から携帯電話機５０および第３電話機４０にそれぞれ呼を発信した後に、これら呼を中継して携帯電話機５０と第３電話機４０の通話を可能にしている。
【００４３】
ここで、デジタル電話交換機１は、携帯電話機５０から第４電話番号と第３電話番号が通知された場合に、登録電話番号記憶手段としてのストレージ装置に記憶されている登録電話番号情報に基づいて、第４電話番号に紐付けされている第２電話番号と第１電話番号を読み出すようになっている。
【００４４】
登録電話番号情報は、図３（ａ）に示すように、デジタル電話交換機１の利用者であって、デジタル電話交換機１に収容された第１電話番号の利用者が登録されるようになっている。各利用者には、利用者毎にユニークな利用者ＩＤが付与されており、登録電話番号情報では、利用者ＩＤ毎に、デジタル電話交換機１に収容されるとともに第１電話機２０の電話番号である第１電話番号と、利用者が使用する携帯電話機５０の電話番号である第２電話番号と、携帯電話機５０にインストールされたＶｏＩＰアプリ５１のＳＩＰＩＤである第４電話番号が紐付けされている。
【００４５】
基本的に利用者毎に、第１電話番号、第２電話番号、第４電話番号は異なるものとなっている
アプリケーションの番号管理機能４ａは、このような登録電話番号情報を記憶し、ＶｏＩＰアプリ５１からＩＰ通信網３２を介して第４電話番号と第３電話番号が通知された場合に、登録電話番号情報を第４電話番号で検索して、通知された第４電話番号に紐付された第１電話番号と第２電話番号を読み出す処理を行うものである。
【００４６】
コールバック機能４ｂは、携帯電話機５０のＶｏＩＰアプリ５１から第４電話番号で呼がデジタル電話交換機１に収容された所定の電話番号にかかった場合に、上述の番号管理機能４ａによる処理を終えた後に、この呼を一度切断してコールバックするものであるが、本実施の形態では、携帯電話機５０のＶｏＩＰアプリ５１からの呼を携帯電話機５０の第２電話番号にコールバックするようになっている。すなわち、同じ携帯電話機５０にコールバックするが、異なる電話番号にコールバックするようになっている。
【００４７】
呼の中継機能４ｃは、上述のように携帯電話機５０の第２電話番号にコールバックした後（呼をかけた後）に、携帯電話機５０でコールバック（呼）の着信を受けて呼が接続された後に、第３電話番号に呼をかけ、第２電話番号にかけた呼と第３電話番号にかけた呼を中継するようになっている。例えば、携帯電話機５０へのコールバックに対して利用者が通話ボタンを押すなどの操作により呼の接続が行われた際に、デジタル電話交換機１は、第３電話番号に呼をかけるとともに、携帯電話機５０の呼と、第３電話番号にかけた呼を中継する。これにより、携帯電話機５０では、呼び出し音が聞こえる状態となり、第３電話機４０で例えば通話ボタンが押されたり、受話器を外したりする接続操作が行われることにより、携帯電話機５０と第３電話機４０が通話可能に接続される。
【００４８】
デジタル電話交換機１のこれら番号管理機能４ａ、コールバック機能４ｂ、呼の中継機能４ｃとから外線発信転送機能４が構成されている。
通信機能５は、デジタル電話交換機１と管理サーバ１０とのデータ通信のための機能である。
【００４９】
管理サーバ１０は、コンピュータシステムとしてのハードウェア上でＯＳ１２を実行するとともに、ＯＳ１２上でアプリケーション１３を実行する。管理サーバ１０で実行されるアプリケーション１３に基づいて、各第１電話機２０の利用者のデータを管理する利用者管理機能１６を有し、各利用者の利用者ＩＤや、それに付随するデータを利用者ＩＤに紐付けして管理するようになっている。また、利用者管理機能１６として、上述の登録電話番号情報を含めた利用者のデータを記憶して管理するようになっている。また、管理サーバ１０は、デジタル電話交換機１に通信機能１５を介してデータ通信可能となっている。すなわち、通信機能１５は、デジタル電話交換機１の通信機能５に対応して、管理サーバ１０とデジタル電話交換機１とのデータ通信を可能とするものである。
管理サーバ１０では、基本的にデジタル電話交換機１の各機能の設定が行われるようになっており、例えば、番号管理設定１４ａでは、登録電話番号情報の利用者ＩＤの登録または削除と、各利用者ＩＤに紐付けされる各電話番号の登録、修正、削除等を行うことが可能である。
【００５０】
同様に、デジタル電話交換機１におけるコールバック機能４ｂおよび呼の中継機能４ｃにおける各種設定を管理サーバ１０側でコールバック設定１４ｂ、呼の中継設定１４ｃの機能を用いて行うことが可能である。これら番号管理設定１４ａ、コールバック設定１４ｂおよび呼の中継設定１４ｃから外線発信転送設定１４が構成されている。
【００５１】
なお、デジタル電話交換機１では、着信履歴や発信履歴を管理しており、これらの情報は、管理サーバ１０においては、上述の利用者管理機能１６で管理され、デジタル電話交換機１側で取得された各種履歴を、管理サーバ１０において、利用者毎（利用者ＩＤ毎）に纏めて管理する。
【００５２】
次に、図４のフローチャートを参照して携帯電話機５０から第３電話機４０に第１電話番号を通知して呼をかける外線発信転送処理を説明する。
外線発信転送処理の前に、携帯電話機５０には、ＶｏＩＰアプリ５１をインストールし、かつ、デジタル電話交換機１への接続設定を行う。すなわち、携帯電話機５０では、ＶｏＩＰアプリ５１をインストールして、例えば、認証処理を含むアクチベーションを行うようにする。すなわち、デジタル電話交換機１の利用者以外がデジタル電話交換機１専用のＶｏＩＰアプリ５１をインストールして利用することができないようにする。
【００５３】
インストールされたＶｏＩＰアプリ５１において、第４電話番号（ＳＩＰ−ＩＤ）の設定を行うとともに、設定された第４電話番号を利用者ＩＤに紐付けして上述の登録電話番号情報に登録させる。この際に第４電話番号は、デジタル電話交換機１に収容された第１電話番号と、携帯電話機５０の第２電話番号と紐付けされる。この状態で、携帯電話機５０を外線発信転送処理で利用可能になる。
【００５４】
外線発信転送処理では、まず、携帯電話機５０において、専用のＶｏＩＰアプリ５１を起動する。ＶｏＩＰアプリ５１では、電話番号入力のための表示が行われる。この表示には、例えば、連絡帳（連絡先情報）、履歴、番号キー等の種類があり、連絡帳を用いることにより、連絡先名に紐付けされた電話番号を探すことができるとともに、連絡先名を選択することにより、電話番号を入力することができる。
【００５５】
履歴は、例えば、着信履歴や発信履歴の各履歴を選択することにより電話番号の入力が可能になる。但し、ＶｏＩＰアプリ５１では、基本的に発信、着信ともデジタル電話交換機１に収容された所定の電話番号に対して行われるので、デジタル電話交換機１から着信および発信の履歴をダウンロードするか、デジタル電話交換機１に通知した第３電話番号を発信履歴として記憶し、デジタル電話交換機１から通知された第３電話番号を着信履歴とする。なお、デジタル電話交換機１は、第１電話番号にかかった呼を携帯電話機５０の第２電話番号に転送する機能を有するとともに、その際にＶｏＩＰアプリ５１の第４電話番号に呼をかけて、転送される呼の電話番号である第３電話番号を通知するようになっている。したがって、この通知された第３電話番号を着信履歴とすることができる。
【００５６】
番号キーでは、０〜９のキーが表示され、電話番号を、番号キーを順番に押すことで入力可能とするものである。携帯電話機５０の連絡帳から発信先となる連絡先を選択して発信すると、ＶｏＩＰアプリ５１は、インターネット（ＩＰ通信網３２：インターネットに接続されたＬＡＮ（Ｌｏｃａｌ  Ａｒｅａ  Ｎｅｔｗｏｒｋ）を含む）経由で、自動的に第１電話番号が収容されたデジタル電話交換機１に接続される（ステップＳ１）。
次に、連絡帳から選択した発信先相手の第３電話番号と第４電話番号（ＳＩＰ−ＩＤ）が引き渡され、図３（ｂ）に示すように通知された第３電話番号と第４電話番号がデジタル電話交換機１のストレージ装置に通知入力情報として登録される。
【００５７】
ここで一旦第２電話番号を有する携帯電話機５０と第１電話番号を収容したデジタル電話交換機１の呼は切断される（ステップＳ２）。なお、呼の切断は、ＶｏＩＰアプリ５１側で行うものとしても、デジタル電話交換機１側で行うものとしてもよい。
デジタル電話交換機１に収容されている第１電話番号から公衆回線網３０を介してコールバックによる第２電話番号を有する携帯電話機５０への呼の発信が行われる。デジタル電話交換機１から携帯電話機５０へ発信される呼を呼ａとする（ステップＳ３）。
【００５８】
次に、携帯電話機５０が携帯電話回線網３１に接続可能な電波状態で、かつ、携帯電話機５０の電源がオンになっているかを判定する（ステップＳ４）。すなわち、デジタル電話交換機１から発信した呼ａが携帯電話機５０にかけられ、携帯電話機５０の呼び出し音が聞こえる状態では、デジタル電話交換機１から発信した呼が携帯電話機５０に着信している状態となる。すなわち、携帯電話機５０は、電源オンで電波状態が通話可能な状況になっている。この場合には、呼ａが携帯電話機５０に着信しているので、携帯電話機５０で通話ボタンの押下等の接続操作により呼ａが接続されるのを待つ状態となる。なお、所定時間経過しても呼ａが携帯電話機５０に接続されない場合には、ステップＳ７に移行する。
【００５９】
呼ａが携帯電話機５０に着信して接続された場合に、デジタル電話交換機１は、第１電話番号を用いて上述のように携帯電話機５０のＶｏＩＰアプリ５１により通知され、ストレージ装置に記憶された第３電話番号に呼を発信する。この際の呼を呼ｂとする（ステップＳ５）。この際には、第１電話番号が第３電話番号を有する第３電話機４０に通知される。
【００６０】
したがって、第３電話機４０では、デジタル電話交換機１から当該デジタル電話交換機１に収容された第１電話番号を発信元として、呼ｂが着信しており、電話番号通知サービスにより、呼ｂを接続する前に第１電話番号が通知される。
【００６１】
次にデジタル電話交換機１は、携帯電話機５０に接続された呼ａと、第３電話機４０に発信された呼ｂとを中継し、携帯電話機５０において、第３電話機４０の呼び出し音が聞こえる状態となり、第３電話機４０において受話器を取る等の呼の接続操作が行われると、携帯電話機５０と第３電話機４０とが通話可能に接続される（ステップＳ６）。
なお、上述のように呼ｂが第３電話機４０に着信したときから、ディスプレイに第２電話番号を表示可能となっており、第３電話機４０の利用者が着信操作を行う前に第１電話番号が通知されている。
【００６２】
一方、ステップＳ４において、携帯電話機５０が通話できないような電波状態または電源オフとなっていることにより、携帯電話機５０にデジタル電話交換機１から発信した呼が着信しない場合には、携帯電話回線網３１側で特定のコードが生成される。この特定のコードをデジタル電話交換機１で識別した場合に、上述のステップＳ５，Ｓ６の処理を中止する（ステップＳ７）。すなわち、携帯電話機５０への呼ａの発信を停止し、かつ、第３電話機４０への呼ｂの発信を行わない。これにより、コールバックに際して携帯電話機５０に呼を着信させることができなくなっても、第３電話機４０では、呼が着信する前なので、問題が発生しない。
【００６３】
このようなデジタル電話交換システムおよびデジタル電話交換方法によれば、デジタル電話交換機１を自社もしくは自宅に設置し、公衆回線網３０に接続することで、外出先の第２電話機（携帯電話機５０）からの発信であっても、自社もしくは自宅の第１電話機２０から発信している状態と同じことが実現可能となる。例えば、起業間もないような企業やＳＯＨＯ（Ｓｍａｌｌ  Ｏｆｆｉｃｅ／Ｈｏｍｅ  Ｏｆｆｉｃｅ）、個人商店などで、外出が多くても、略常時、地域属性番号を発信元電話番号としてお客様へ連絡が可能になり、仕事上の機会損失を低減することが可能となる。
【００６４】
データセンタ等にデジタル電話交換機１を設置し、レンタルオフィスやバーチャルオフィスにおける地域属性電話番号を活用した電話発信転送サービスに利用することができる。すなわち、例えば、バーチャルオフィスとして、利用者が固定電話である第１電話機のある場所にいないことを前提とする場合であっても、携帯電話機５０で専用のＶｏＩＰアプリ５１に電話番号を入力して電話をかけることで、いつでも地域特性番号が設定された固定電話の電話番号を通話先となる第３電話番号に通知して電話をかけることができる。
【符号の説明】
【００６５】
１      デジタル電話交換機（電話番号入力手段、登録電話番号記憶手段）
１０    管理サーバ（デジタル電話交換機の一部）
２０    第１電話機
３０    公衆回線網
３１    携帯電話回線網
３２    ＩＰ通信網（インターネット通信網）
４０    第３電話機
５０    第２電話機
【図１】
2015185995.tif 000003
【図２】
2015185995.tif 000004
【図３】
2015185995.tif 000005
【図４】
2015185995.tif 000006